(57)【要約】【課題】照明部と、照明部からの照明により視認可能とされる表示部とを有する表示装置、表示装置の表示方法及び計時装置に関し、指示部により照明部が消灯状態にあっても検出部によるユーザの表示内容確認動作により、容易に表示部を可視化できる表示装置、表示装置の表示方法及び計時装置を提供することを目的とする。【解決手段】本発明は、照明部と、該照明部からの照明により表示内容を視認可能とされる表示部とを有する表示装置であって、ユーザの表示内容確認動作を検出する検出部と、前記照明部が消灯された状態で、前記検出部により前記表示内容確認動作が検出されたときに、前記照明部を点灯させ、前記表示内容を視認可能とする制御部とを有することを特徴とする。【選択図】図１
2009019927.tif 000002
【特許請求の範囲】
【請求項１】
照明部と、該照明部からの照明により表示内容を視認可能とされる表示部とを有する表示装置であって、
ユーザの表示内容確認動作を検出する検出部と、
前記照明部が消灯された状態で、前記検出部により前記表示内容確認動作が検出されたときに、前記照明部を点灯させ、前記表示内容を視認可能とする制御部とを有する表示装置。
【請求項２】
前記検出部は、焦電型赤外線センサを含む請求項１記載の表示装置。
【請求項３】
前記制御部は、前記検出部で検出された前記表示要求動作に応じて前記照明部を点灯させ一定時間経過した後に、前記照明部を消灯する請求項１又は２記載の表示装置。
【請求項４】
前記表示部は、前記表示内容を指示する指示部と、
前記指示部の前面に設けられた半光透過性部材とを有する請求項１乃至３のいずれか一項記載の表示装置。
【請求項５】
照明部と、該照明部からの照明により表示内容を視認可能とされる表示部とを有する表示装置の表示方法であって、
前記照明部が消灯された状態で、検出部によりユーザの表示内容確認動作が検出されたときに、前記照明部を点灯させ、前記表示内容を視認可能とする表示装置の表示方法。
【請求項６】
照明部と、該照明部からの照明により時刻を視認可能とされる時刻表示部とを有する計時装置であって、
ユーザの表示内容確認動作を検出する検出部と、
前記操作部により前記照明部が消灯された状態で、前記検出部で前記表示内容確認動作が検出されたときに、前記照明部を点灯させ、前記時刻を視認可能とする制御部とを有する計時装置。
【請求項７】
照明部と、該照明部からの照明により時刻を視認可能とされる時刻表示部とを有する計時装置であって、
ユーザの表示内容確認動作を検出する検出部と、
前記照明部が消灯されたときに、前記計時表示部への電源の供給を停止し、前記照明部が点灯したときに、前記計時表示部に電源を供給し、前記時刻を指示するように前記計時表示部を制御する制御部とを有する計時装置。
【発明の詳細な説明】
【技術分野】
【０００１】
本発明は表示装置、表示装置の表示方法及び計時装置に係り、特に、照明部と、照明部からの照明により可視化される表示部とを有する表示装置、表示装置の表示方法及び計時装置に関する。
【背景技術】
【０００２】
近年、車載用の表示装置として、表示面をスモークがかかった半光透過性樹脂材によりカバーし、その内側に蛍光材を含む指針、文字盤を設け、指針、文字盤に照明を行い、指針に含まれる蛍光材を発光させ、表示面を通して指針、文字盤を外側から可視化する構成とされた表示装置がある。この表示装置では、指針、文字盤が照明されているときに表示内容を視認できるようになり、意匠性を高めている。
【０００３】
自動車はアクセサリスイッチがオフの状態では、各種電装品に対してはバッテリから電力を供給することになる。よって、このような表示装置を自動車などに搭載する場合には、バッテリの消耗をできるだけ小さくするため、アクセサリスイッチがオフのときには、照明を消灯している。
【０００４】
このため、アクセサリスイッチをオフした後に表示装置に表示される情報を知りたいときには、一々、アクセサリスイッチをオンする操作が必要であり、操作性が悪かった。
【０００５】
なお、機器のバッテリの消耗を防止するための手法として、ユーザの使用状況に応じて時刻表示を制御する計時装置が提案されている（例えば、特許文献１参照）。
【特許文献１】特開平１１−２２３６８２号公報
【発明の開示】
【発明が解決しようとする課題】
【０００６】
しかるに、従来のこの種の車載用計時装置はバッテリの消耗を防止するためにアクセサリスイッチがオフしたときに、指針を照明して発光させ、指針をスモークがかかった半透過性樹脂材からなるカバーを通して視認できるようにしていたため、アクセサリスイッチをオフした後に、時刻などを確認したい場合には、アクセサリスイッチをオンする必要があり、容易に時刻などを視認することができず、使い勝手が悪かった。
【０００７】
本発明は、上記の点に鑑みてなされたもので、指示部により照明装置が消灯状態にあっても検出部によるユーザの表示内容確認動作により、容易に表示部を可視化できる表示装置、表示装置の表示方法及び計時装置を提供することを目的とする。
【課題を解決するための手段】
【０００８】
本発明は、照明部と、該照明部からの照明により表示内容を視認可能とされる表示部とを有する表示装置であって、ユーザの表示内容確認動作を検出する検出部と、前記照明部が消灯された状態で、前記検出部により前記表示内容確認動作が検出されたときに、前記照明部を点灯させ、前記表示内容を視認可能とする制御部とを有することを特徴とする。
【０００９】
また、前記検出部は、焦電型赤外線センサを含むことを特徴とする。さらに、前記制御部は、前記検出部で検出された前記表示要求動作に応じて前記照明部を点灯させ一定時間経過した後に、前記照明部を消灯することを特徴とする。
【００１０】
また、前記表示部は、前記表示内容を指示する指示部と、前記指示部の前面に設けられた半光透過性部材とを有することを特徴とする。
【００１１】
さらに、本発明は、照明部と、該照明部からの照明により時刻を視認可能とされる時刻表示部とを有する計時装置であって、ユーザの表示内容確認動作を検出する検出部と、前記照明部が消灯されたときに、前記計時表示部への電源の供給を停止し、前記照明部が点灯したときに、前記計時表示部に電源を供給し、前記時刻を指示するように前記計時表示部を制御する制御部とを有することを特徴とする。
【発明の効果】
【００１２】
本発明によれば、指示部により照明装置が消灯された状態で、検出部によりユーザによる表示内容確認動作が検出されたときに、照明装置を点灯させ表示内容を視認可能とすることにより、ユーザは表示内容確認動作により容易に表示内容を確認することができ、装置の操作性を向上させることができる。
【発明を実施するための最良の形態】
【００１３】
図１は本発明の一実施例のブロック構成図、図２は本発明の一実施例の構成図を示す。
【００１４】
本実施例では表示装置として計時装置を説明する。本実施例の計時装置１００は、自動車に搭載される車載用の計時装置であり、回路基板１１１、駆動部１１２、文字盤１１３、指針軸１１４、指針１１５、遮光ケース１１６、スモークカバー１１７、プリズム１１８、接続端子１１９を含む構成とされている。
【００１５】
回路基板１１１には、マイコン１２１、増幅回路１２３、インタフェース回路１２４、文字盤照明用発光ダイオードＬＥＤ1、指針照明用発光ダイオードＬＥＤ2、発光ダイオード駆動回路１２５、１２６、駆動部１１２が搭載されている。また、回路基板１１１には、接続端子１１９及び焦電型赤外線センサ１２２が接続されている。接続端子１１９は、遮光ケース１１６の裏面から外部に延出しており、外部で電源１０１、イグニッションスイッチＳＷIG、アクセサリスイッチＳＷACCが接続されている。
【００１６】
焦電型赤外線センサ１２２は、スモークカバー１１７に取り付けられ、外部に表出し、手などが近接したことを検出する。
【００１７】
電源１０１から供給される駆動電源Ｖccは、接続端子１１９から回路基板１１１に導入され、マイコン１２１、焦電型赤外線センサ１２２、増幅回路１２３、インタフェース回路１２４、文字盤照明用発光ダイオードＬＥＤ1、指針照明用発光ダイオードＬＥＤ2などに印加される。また、イグニッションスイッチＳＷIG、アクセサリスイッチＳＷACCは、マイコン１２１に接続されている。
【００１８】
マイコン１２１は内蔵されたＲＯＭ、ＥＥＰＲＯＭなどに予めインストールされたプログラムに基づいて計時を行うとともに、イグニッションスイッチＳＷIG、あるいは、アクセサリスイッチＳＷACCのオン／オフの状態及び焦電型赤外線センサ１２２により検出される検出信号を検出し、イグニッションスイッチＳＷIG、アクセサリスイッチＳＷACCのオン／オフの状態及び焦電型赤外線センサ１１２により検出される検出信号に応じて文字盤照明用発光ダイオードＬＥＤ1、指針照明用発光ダイオードＬＥＤ2の点灯を制御する。
【００１９】
また、マイコン１２１は、駆動部１１２を駆動するための駆動回路を内蔵している。駆動部１１２は、マイコン１２１に内蔵された駆動回路から供給される駆動パルスによって、駆動されて、指針軸１１４を回転させる。
【００２０】
焦電型赤外線センサ１２２は、検出領域における赤外線の変位を検出する。例えば、検出領域に人の手などをかざしたことを検出することができる。焦電型赤外線センサ１２２の検出信号は、増幅回路１２３に供給される。
【００２１】
増幅回路１２３は、焦電型赤外線センサ１１２から供給される検出信号を増幅する。増幅回路１２３で増幅された検出信号は、インタフェース回路１２４に供給される。
【００２２】
インタフェース回路１２４は、マイコン１２１とのインタフェースをとっており、増幅回路１２３から供給された検出信号をデジタルデータに変換して、マイコン１２１に供給する。
【００２３】
発光ダイオード駆動回路１２５、１２６は、抵抗Ｒ１〜Ｒ３、トランジスタＱから構成されており、マイコン１２１からの駆動制御信号がハイレベルとなったときにトランジスタがオンし、発光ダイオードＬＥＤ１、ＬＥＤ２から電流を引き込むことにより、発光ダイオードＬＥＤ１、ＬＥＤ２に電流を流し、発光ダイオードＬＥＤ１、ＬＥＤ２を発光させる。
【００２４】
文字盤１１３は、透明樹脂材に蛍光材を混入した構成とされており、文字、指示部分などを除いて遮光層を塗布した構成とされている。文字盤１１３は、文字盤照明用発光ダイオードＬＥＤ1から照射される光によって、混入された蛍光材が励起され、発光する。これによって、文字盤１１３は、文字や指示部分だけが発光して見える。指針１１５は透明樹脂材に蛍光材を混入した構成とされており、指針照明用発光ダイオードＬＥＤ2の光が照射されると、蛍光材が励起されて発光する。これによって、指針１１５が発光して見える。
【００２５】
遮光ケース１１６は、遮光性の樹脂材を略有底筒状に形成した構成とされており、前面が開口されており、内部に回路基板１１１、駆動部１１２、文字盤１１３、指針軸１１４、指針１１５、プリズム１１８などを収納する。前面開口部には、スモークカバー１１７が取り付けられる。また、スモークカバー１１７は、半光透過性の樹脂材などから構成されており、遮光ケース１１６の前面開口部に装着される。
【００２６】
上記の構造により本実施例の計時装置１００は、遮光ケース１１６の内部で文字盤照明用発光ダイオードＬＥＤ1及び指針照明用発光ダイオードＬＥＤ2が点灯し、文字盤１１３及び指針１１５に混入された蛍光材が発光すると、文字、指示、指針がスモークカバー１１７を通して可視化され、時刻を認識することができ、文字盤照明用発光ダイオードＬＥＤ1及び指針照明用発光ダイオードＬＥＤ2が消灯している状態では、遮光ケース１１６の内部が暗く、外側からスモークカバー１１７の内部を見ることはできず、時刻を認識できないようになっている。
【００２７】
したがって、本実施例の計時装置１００により時刻を知るには、文字盤照明用発光ダイオードＬＥＤ1及び指針照明用発光ダイオードＬＥＤ2を点灯させる必要がある。
【００２８】
次に、マイコン１２１の処理について説明する。
【００２９】
図３はマイコン１２１の処理フローチャートを示す。
【００３０】
マイコン１２１は、ステップＳ１−１でイグニッションスイッチＳＷIG、あるいは、アクセサリスイッチＳＷACCがオンすると、ステップＳ１−２で文字盤照明用発光ダイオードＬＥＤ１を点灯させる。マイコン１２１は、ステップＳ１−３で文字盤照明用発光ダイオードＬＥＤ１が点灯してからＹ1秒経過するのを待機する。
【００３１】
マイコン１２１はステップＳ１−３で文字盤照明用発光ダイオードＬＥＤ１が点灯してからＹ秒経過すると、ステップＳ１−４で指針照明用発光ダイオードＬＥＤ２を点灯させる。
【００３２】
次にマイコン１２１は、ステップＳ１−５で指針照明用発光ダイオードＬＥＤ2を点灯してからＹ2秒経過するのを待機する。なお、待機時間Ｙ1と待機時間Ｙ2とは、同じ時間であっても、異なる時間であってもよい。
【００３３】
マイコン１２１は、ステップＳ１−５で指針照明用発光ダイオードＬＥＤ2を点灯してからＹ2秒経過すると、ステップＳ１−６でイグニッションスイッチＳＷIG、あるいは、アクセサリスイッチＳＷACCがオンしているか否かを判定する。マイコン１２１は、ステップＳ１−６でイグニッションスイッチＳＷIG、あるいは、アクセサリスイッチＳＷACCがオンしていれば、ステップＳ１−７で文字盤照明用発光ダイオードＬＥＤ１及び指針照明用発光ダイオードＬＥＤ２の点灯状態を継続する。
【００３４】
また、マイコン１２１は、ステップＳ１−７でイグニッションスイッチＳＷIG、あるいは、アクセサリスイッチＳＷACCがオフしていれば、ステップＳ１−８で文字盤照明用発光ダイオードＬＥＤ１及び指針照明用発光ダイオードＬＥＤ２を消灯し、ステップＳ１−９に移行する。
【００３５】
マイコン１２１は、ステップＳ１−９で焦電型赤外線センサ１１２により検出領域に人の手などがかざされたか否かが判定される。マイコン１２１は、ステップＳ１−９で焦電型赤外線センサ１１２で検出領域に人の手などがかざされた場合には、ステップＳ１−１０で文字盤照明用発光ダイオードＬＥＤ1、及び、指針照明用発光ダイオードＬＥＤ2を同時に点灯する。
【００３６】
マイコン１２１は、ステップＳ１−１１で文字盤照明用発光ダイオードＬＥＤ1、及び、指針照明用発光ダイオードＬＥＤ2が点灯してからＸ秒経過するのを待機する。マイコン１２１は、ステップＳ１−１１でＸ秒経過するとステップＳ１−１２で文字盤照明用発光ダイオードＬＥＤ1、及び、指針照明用発光ダイオードＬＥＤ2を消灯し、ステップＳ１−１に戻る。
【００３７】
以上により、イグニッションスイッチＳＷIG、あるいは、アクセサリスイッチＳＷACCがオン状態、及び、イグニッションスイッチＳＷIG、あるいは、アクセサリスイッチＳＷACCがオフ状態で、かつ、焦電型赤外線センサ１１２の検出領域に人の手などがかざされた場合などに、文字盤照明用発光ダイオードＬＥＤ1、及び、指針照明用発光ダイオードＬＥＤ2が点灯し、文字盤１１３及び指針１１５に混入された蛍光材が励起され、発光し、スモークカバー１１７を通して表示され、時刻を認識することができるようになる。
【００３８】
図４は本発明の一実施例の動作説明図を示す。図４（Ａ）はイグニッションスイッチＳＷIG、あるいは、アクセサリスイッチＳＷACCをオフしたときの表示状態、図４（Ｂ）はイグニッションスイッチＳＷIG、あるいは、アクセサリスイッチＳＷACCをオフした状態で焦電型赤外線センサ１１２の検出領域に手をかざしたときの表示状態を示している。
【００３９】
イグニッションスイッチＳＷIG、あるいは、アクセサリスイッチＳＷACCをオフした状態では、文字盤照明用発光ダイオードＬＥＤ1及び指針照明用発光ダイオードＬＥＤ2がともに消灯するので、文字盤１１３及び指針１１５に文字盤照明用発光ダイオードＬＥＤ1及び指針照明用発光ダイオードＬＥＤ2から光が供給されないので、文字盤１１３及び指針１１５に混入された蛍光材が励起されることはなく、よって、文字盤１１３及び指針１１５は発光しない。よって、遮光ケース１１６の内部は、スモークカバー１１７の外側に比べて暗くなるので、スモークカバー１１７の外側から内部を視認することはできず、よって、図４（Ａ）に示すような表示となる。
【００４０】
また、イグニッションスイッチＳＷIG、あるいは、アクセサリスイッチＳＷACCをオフした状態で焦電型赤外線センサ１１２の検出領域に手をかざすと、文字盤照明用発光ダイオードＬＥＤ1及び指針照明用発光ダイオードＬＥＤ2が点灯する。文字盤照明用発光ダイオードＬＥＤ1及び指針照明用発光ダイオードＬＥＤ2が点灯すると、文字盤照明用発光ダイオードＬＥＤ1及び指針照明用発光ダイオードＬＥＤ2から文字盤１１３及び指針１１５に混入された蛍光材に光が供給され、文字盤１１３及び指針１１５に混入された蛍光材が励起される。これによって、文字盤１１３及び指針１１５が発光する。
【００４１】
文字盤１１３及び指針１１５が発光すると、図４（Ｂ）に示すようにスモークカバー１１７を通して文字盤１１３及び指針１１５がスモークカバー１１７の表側に浮かび上がる。これによって、時刻を認識できる。
【００４２】
また、イグニッションスイッチＳＷIG、あるいは、アクセサリスイッチＳＷACCをオフした状態で焦電型赤外線センサ１１２の検出領域に手をかざして、文字盤１１３及び指針１１５を表示させた場合には、文字盤照明用発光ダイオードＬＥＤ1及び指針照明用発光ダイオードＬＥＤ2が点灯してからＸ秒経過すると文字盤照明用発光ダイオードＬＥＤ1及び指針照明用発光ダイオードＬＥＤ2が消灯し、図４（Ａ）に示す非表示状態となる。
【００４３】
本実施例によれば、イグニッションスイッチＳＷIG、あるいは、アクセサリスイッチＳＷACCがオフの状態であっても焦電型赤外線センサ１１２の検出領域に人の手などをかざすことによって計時装置１００に時刻を表示させ、認識することができる。このため、車載用の計時装置１００として、意匠性を高め、かつ、使い勝手を向上させることができる。
【００４４】
なお、本実施例では、イグニッションスイッチＳＷIG、あるいは、アクセサリスイッチＳＷACCがオフしたとき、文字盤照明用発光ダイオードＬＥＤ1及び指針照明用発光ダイオードＬＥＤ2を消灯することにより、省電力化を図っているが、更に、指針１１５の運針も停止するようにしてもよい。なお、時刻の計時は、マイコン１２１で常時、行い、イグニッションスイッチＳＷIG、あるいは、アクセサリスイッチＳＷACCがオン、あるいは、焦電型赤外線センサ１１２により手をかざしが検出されたときに、文字盤照明用発光ダイオードＬＥＤ1及び指針照明用発光ダイオードＬＥＤ2を点灯するとともに、指針１１５を現在時刻に移動させ、運針させるようにしてもよい。
【００４５】
また、焦電型赤外線センサ１２２を、計時装置１００から引き出すことができる構成とし、計時装置１００の外部に取り付けるようにしてもよい。これにより、焦電型赤外線センサ１２２をユーザが表示内容確認動作、手かざし動作を行い易い位置に取り付けることができ、操作性を向上させることができる。
【００４６】
さらに、本実施例では、ユーザの表示内容確認動作を検出する検出部として、焦電型赤外線センサ１２２を用いた例について説明したが、検出部は、これに限定されるものではなく、反射型光センサなどの非接触式センサを用いることもできる。さらに、押しボタンスイッチなどスイッチであってもよく、要は、ユーザの表示内容確認動作を検出できる構成であればよい。
【００４７】
さらに、本実施例では、車載用計時装置を例に説明を行ったが、本発明の表示装置は計時装置に限定されるものではなく、電源スイッチをオフしたときに表示が消える表示装置一般に適用できることは言うまでもない。
【００４８】
なお、本発明は上記実施例に限定されるものではなく、本発明の要旨を逸脱しない範囲において種々の変形例が考えられることは言うまでもない。
【図面の簡単な説明】
【００４９】
【図１】本発明の一実施例のブロック構成図である。
【図２】本発明の一実施例の構成図である。
【図３】マイコン１２１の処理フローチャートである。
【図４】本発明の一実施例の動作説明図である。
【符号の説明】
【００５０】
１００  計時装置、１０１  電源
１１１  回路基板、１１２  駆動部、１１３  文字盤、１１４  指針軸、１１５  指針
１１６  遮光ケース、１１７  スモークカバー、１１８  プリズム、１１９  接続端子
１２１  マイコン、１２２  焦電型赤外線センサ、１２３  増幅回路
１２４  インタフェース回路、１２５、１２６  発光ダイオード駆動回路
ＬＥＤ1  文字盤照明用発光ダイオード、ＬＥＤ2  指針照明用発光ダイオード
【図１】
2009019927.tif 000003
【図３】
2009019927.tif 000004
【図２】
2009019927.tif 000005
【図４】
2009019927.tif 000006